(57)【要約】【課題】  マルチチャンネル多言語音声信号を同時にワイヤレスで複数の視聴者に伝送し、視聴者が自分のニーズに合わせて選んだ音声コンテンツを再生させ利用できるシステム及びテレビ受信機とワイヤレス受信機並びにテレビ放送視聴方法を提供する。【解決手段】  テレビ放送信号を受信し映像表示し音声信号を電波で送信するアナログテレビ受信機と、アナログテレビ受信機が送信する音声信号の電波を受信するワイヤレス受信機とからなるテレビ放送視聴システムにおいて、アナログテレビ受信機は、画面に関する全ての音声信号を電波で送信し、ワイヤレス受信機は、アナログテレビ受信機が送信する電波信号を受信し、受信信号を復調し、復調した音声信号から１以上の視聴者が各々任意のチャンネルを選択して視聴可能とする。【選択図】        図１
2007116301.tif 000002
【特許請求の範囲】
【請求項１】
テレビ放送信号を受信し映像表示し音声信号を電波で送信するアナログテレビ受信機と、該アナログテレビ受信機が送信する音声信号の電波を受信するワイヤレス受信機とからなるテレビ放送視聴システムにおいて、
前記アナログテレビ受信機は、画面に関する全ての音声信号を電波で送信し、前記ワイヤレス受信機は、前記アナログテレビ受信機が送信する電波信号を受信し、受信信号を復調し、復調した音声信号から１以上の視聴者が各々任意のチャンネルを選択して視聴可能とすることを特徴とするテレビ放送視聴システム。
【請求項２】
テレビ放送信号を受信し映像表示し音声信号を電波で送信するデジタルテレビ受信機と、該デジタルテレビ受信機が送信する音声信号の電波を受信するワイヤレス受信機とからなるテレビ放送視聴システムにおいて、
前記デジタルテレビ受信機は、親画面と子画面の音声データを映像データと分離し、デコードせずにデータパックを行い、無線信号に変換し電波で送信し、前記ワイヤレス受信機は、前記デジタルテレビ受信機が送信する電波信号を受信し、１以上の視聴者が選択したチャンネルの音声データのみをデコードして音声に変換し視聴可能とすることを特徴とするテレビ放送視聴システム。
【請求項３】
請求項２記載のテレビ放送視聴システムにおいて、
前記デジタルテレビ受信機はＤＶＤプレーヤーの様なマルチメディア機器に接続され、選択した再生コンテンツはマルチメディア機器の出力端子から前記デジタルテレビ受信機に出力することを特徴とするテレビ放送視聴システム。
【請求項４】
テレビ放送信号を受信し映像表示し音声信号を電波で送信するデジタルテレビ受信機において、
親画面と子画面の音声データを映像データと分離し、デコードせずにデータパックを行い、無線信号に変換し、変換した信号の電波でワイヤレス受信機に対し送信することを特徴とするデジタルテレビ受信機。
【請求項５】
テレビ放送信号を受信し映像表示し音声信号を電波で送信するデジタルテレビ受信機が送信する音声信号の電波を受信するワイヤレス受信機において、
前記デジタルテレビ受信機が親画面と子画面の音声データを映像データと分離し、デコードせずにデータパックを行い、無線信号に変換した電波を受信し、１以上の視聴者が選択したチャンネルの音声データのみをデコードして音声に変換し視聴可能とすることを特徴とするワイヤレス受信機。
【請求項６】
テレビ放送信号を受信し映像表示し音声信号を電波で送信するテレビ受信機と、該テレビ受信機が送信する音声信号の電波を受信するワイヤレス受信機とを使用してテレビ放送を視聴する方法において、
前記テレビ受信機により、画面に関する全ての音声信号を電波で送信することと、前記ワイヤレス受信機により、前記テレビ受信機が送信する電波信号を受信し、受信した信号を復調し、復調した音声信号から１以上の視聴者が各々任意のチャンネルを選択して視聴可能とすることを含むことを特徴とするテレビ放送視聴方法。
【請求項７】
テレビ放送信号を受信し映像表示し音声信号を電波で送信するデジタルテレビ受信機と、該デジタルテレビ受信機が送信する音声信号の電波を受信するワイヤレス受信機とを使用してテレビ放送を視聴する方法において、
前記デジタルテレビ受信機により、親画面と子画面の音声データを映像データと分離し、デコードせずにデータパックを行い、無線信号に変換し電波で送信し、前記ワイヤレス受信機により、前記デジタルテレビ受信機が送信する電波信号を受信し、１以上の視聴者が選択したチャンネルの音声データのみをデコードして音声に変換し視聴可能とすることを特徴とするテレビ放送視聴方法。
【発明の詳細な説明】
【技術分野】
【０００１】
本発明は、テレビ放送視聴システム及びテレビ受信機とワイヤレス受信機並びにテレビ放送視聴方法に関し、特にテレビジョン受信機やＤＶＤプレーヤーのマルチチャンネル多言語音声信号を同時にワイヤレスで複数の視聴者に伝送し、視聴者が自分のニーズに合わせて選んだ音声コンテンツを再生させ利用できる音声システムに関する。
【背景技術】
【０００２】
アナログテレビジョン放送では音声信号の伝送に主チャンネル（主音声）と副チャンネル（副音声）の２つの伝送路を設けた方式が採られており、２ヶ国語放送とステレオ放送の選択受信ができる。また、テレビジョン受信機では、主音声、副音声、または主音声＋副音声を切り替えてスピーカから聞く方法や、ヘッドホン端子を通して聞く方法が一般に使用されている。
【０００３】
有線ヘッドホンを使用すると、テレビ受信機からの距離を遠くてできないことや、大型テレビの画面が見づらい問題点に対して、図３の方法が提案されている（特許文献１参照）。この方法によって、ヘッドホンからスピーカと同じ内容の音声を聞くことができる。図３（ａ）は音声無線信号送信器を含むテレビ受信機であり、図３（ｂ）はワイヤレス音声受信機である。
【０００４】
しかし、図３の方法は２画面テレビに対応できないため、図４の方法が提案されている（特許文献２参照）。ヘッドホン側で受信したい音声信号をテレビ本体側でリモコンなどを通して選択し、無線信号で送信する（図４（ａ））。ワイヤレス受信機（図４（ｂ））はその無線信号を受信して再生する。これによってヘッドホンからスピーカと同じ内容、または違う内容の音声を聞くことができる。
【特許文献１】特開平３−２６５２９４号公報
【特許文献２】特開平７−５９０２５号公報
【発明の開示】
【発明が解決しようとする課題】
【０００５】
図４の方法では、送信された無線信号に１チャンネルの音声信号しか存在しない。このため、多視聴者や多チャンネル（多言語）に対応することができない。例えば、視聴者１はスピーカから親画面の主音声（日本語）を聴き、視聴者２はワイヤレスヘッドホンで親画面の副音声（英語）を聴いている状態では、視聴者３は子画面の音声を聴くことができない。
【０００６】
また、マルチメディアＤＶＤでは、同じ画面に対して複数種類の言語（マルチ言語）音声が入っている。複数の視聴者は、同じ画面に対して同時にマルチ言語（例え、日本語、英語、中国語など）を聴くことはできない。
【０００７】
本発明は、マルチチャンネル多言語音声信号を同時にワイヤレスで複数の視聴者に伝送し、視聴者が自分のニーズに合わせて選んだ音声コンテンツを再生させ利用できるシステム及びテレビ受信機とワイヤレス受信機並びにテレビ放送視聴方法を提供することを目的とする。
【課題を解決するための手段】
【０００８】
本発明は、テレビ放送信号を受信し映像表示し音声信号を電波で送信するアナログテレビ受信機と、該アナログテレビ受信機が送信する音声信号の電波を受信するワイヤレス受信機とからなるテレビ放送視聴システムにおいて、前記アナログテレビ受信機は、画面に関する全ての音声信号を電波で送信し、前記ワイヤレス受信機は、前記アナログテレビ受信機が送信する電波信号を受信し、受信信号を復調し、復調した音声信号から１以上の視聴者が各々任意のチャンネルを選択して視聴可能とするテレビ放送視聴システムである。
【０００９】
また、本発明は、テレビ放送信号を受信し映像表示し音声信号を電波で送信するデジタルテレビ受信機と、該デジタルテレビ受信機が送信する音声信号の電波を受信するワイヤレス受信機とからなるテレビ放送視聴システムにおいて、前記デジタルテレビ受信機は、親画面と子画面の音声データを映像データと分離し、デコードせずにデータパックを行い、無線信号に変換し電波で送信し、前記ワイヤレス受信機は、前記デジタルテレビ受信機が送信する電波信号を受信し、１以上の視聴者が選択したチャンネルの音声データのみをデコードして音声に変換し視聴可能とするテレビ放送視聴システムである。
【００１０】
そして、本発明は、前記デジタルテレビ受信機はＤＶＤプレーヤーの様なマルチメディア機器に接続され、選択した再生コンテンツはマルチメディア機器の出力端子から前記デジタルテレビ受信機に出力するテレビ放送視聴システムである。
【００１１】
更に、本発明は、テレビ放送信号を受信し映像表示し音声信号を電波で送信するデジタルテレビ受信機において、親画面と子画面の音声データを映像データと分離し、デコードせずにデータパックを行い、無線信号に変換し、変換した信号の電波でワイヤレス受信機に対し送信するデジタルテレビ受信機である。
【００１２】
また、本発明は、テレビ放送信号を受信し映像表示し音声信号を電波で送信するデジタルテレビ受信機が送信する音声信号の電波を受信するワイヤレス受信機において、前記デジタルテレビ受信機が親画面と子画面の音声データを映像データと分離し、デコードせずにデータパックを行い、無線信号に変換した電波を受信し、１以上の視聴者が選択したチャンネルの音声データのみをデコードして音声に変換し視聴可能とするワイヤレス受信機である。
【００１３】
そして、本発明は、テレビ放送信号を受信し映像表示し音声信号を電波で送信するテレビ受信機と、該テレビ受信機が送信する音声信号の電波を受信するワイヤレス受信機とを使用してテレビ放送を視聴する方法において、前記テレビ受信機により、画面に関する全ての音声信号を電波で送信することと、前記ワイヤレス受信機により、前記テレビ受信機が送信する電波信号を受信し、受信した信号を復調し、復調した音声信号から１以上の視聴者が各々任意のチャンネルを選択して視聴可能とすることを含むテレビ放送視聴方法である。
【００１４】
更に、本発明は、テレビ放送信号を受信し映像表示し音声信号を電波で送信するデジタルテレビ受信機と、該デジタルテレビ受信機が送信する音声信号の電波を受信するワイヤレス受信機とを使用してテレビ放送を視聴する方法において、前記デジタルテレビ受信機により、親画面と子画面の音声データを映像データと分離し、デコードせずにデータパックを行い、無線信号に変換し電波で送信し、前記ワイヤレス受信機により、前記デジタルテレビ受信機が送信する電波信号を受信し、１以上の視聴者が選択したチャンネルの音声データのみをデコードして音声に変換し視聴可能とするテレビ放送視聴方法である。
【発明の効果】
【００１５】
本発明によれば、テレビ受信機画面に関して、複数の視聴者はお互いに干渉なく、好みの音声チャンネル（言語）を選択して聴くことができる。
【発明を実施するための最良の形態】
【００１６】
本発明を実施するための最良の形態を説明する。
本発明のテレビ放送視聴システム及びテレビ受信機とワイヤレス受信機並びにテレビ放送視聴方法の実施例について、図面を用いて説明する。
【００１７】
図１はアナログテレビに関する実施例である。親画面の主音声信号と副音声信号、及び子画面の主音声信号と副音声信号に音声多重変調処理を施し、送信機で音声信号放射を行い、無線音声信号を送信する（図１（ａ）参照）。無線受信機は無線音声信号を受信し、音声多重復調を行う。各視聴者は、好みの音声チャンネルを自由に選択して聴くことができる。例えば、視聴者の１人は図１（ｂ）のワイヤレスヘッドホン１で親画面の副音声（英語）を聴くことができると同時に、もう１人は図１（ｃ）のワイヤレスヘッドホン２で子画面の主音声＋副音声（ステレオ）を聴くことができる。勿論、同時に他の視聴者がスピーカで親画面の主音声（日本語）を聴くことは妨げられない。
【００１８】
図２はデジタルテレビに関する実施例である。デジタルテレビの入力信号には、地上波デジタルテレビ放送信号やＤＶＤプレーヤーからの信号等がある。図２には、チューナから受信したテレビ放送信号の以外に外部入力１と外部入力２が示されている。外部入力への信号は、たとえばＤＶＤプレーヤーから提供される。親画面と子画面の信号は、受信した放送信号と外部入力信号１と２からリモコンで選ぶことができる。
【００１９】
テレビ受信機に映る画面において、親画面と子画面の音声データを映像データと分離し、デコードせずにデータパックを行って、送信機を経由し、無線信号に変えて音声信号放射により送信する。
【００２０】
ワイヤレス受信機は、音声信号を受信し復調を行い送信時のパック状態のデータに戻す。パック状態のデータをアンパックして、視聴者の選択したチャンネルの音声データのみをデコードする。デコードしたデジタル信号をＤ／Ａ変換してアナログ信号に変えて出力する。図２（ｂ）と（ｃ）のワイヤレスヘッドホン１、２は、独立で音声チャネルを選択することができる。
【００２１】
この時に、テレビ受信機のスピーカは親画面の音声データからリモコンで選んだ音声チャンネルを親画面の音声デコーダを通してデコードした音声信号を出す。つまり、ワイヤレス受信機に送信したデータに依存しない。
【００２２】
ここで例として、ワイヤレスヘッドホンを２個だけ示しているが、必要に応じて自由に追加することが可能である。
【００２３】
親画面だけを選択した場合は、例えば、外部入力１でＤＶＤプレーヤーからマルチ言語のコンテンツを入力し、スピーカは日本語、ワイヤレスヘッドホン１から中国語、ワイヤレスヘッドホン２から英語を聴くことができる。
【００２４】
第３の実施例は、図示していないが、ＤＶＤプレーヤーの様なマルチメディア機器側に音声送信機能を実装する。ＤＶＤプレーヤーのリモコンで選択した再生コンテンツの音声信号を、プレーヤー側が無線信号で送信する。ワイヤレス受信部分は、図２（ｂ）と（ｃ）と同じである。この時に、選択した再生コンテンツはＤＶＤプレーヤーの出力端子からテレビ受信機に出力する。このテレビ受信機は、普通のアナログ或いはデジタルテレビで良い。
【００２５】
以上の３実施例において、無線信号は、電波信号の以外の例えば光信号でも使える。
【００２６】
上記実施例で説明したが、本発明によれば、アナログテレビの場合はテレビ受信機画面に関する全ての音声信号を電波で送信して、ワイヤレス受信機はこの電波信号を受信し、受信した信号を復調し、復調した音声信号から各視聴者各自が任意のチャンネルを選んで聴くことができる。
【００２７】
また、デジタルテレビの場合はテレビ受信機画面に関する全ての音声データを切り出して、デコードせずにデータパックを行った後に電波で送信する。ワイヤレス受信機はこの電波信号を受信し、受信した信号を復調しデコードする機能を備えており、各視聴者は音声信号から任意のチャンネルを選び、選択した音声データを聴くことができる。
【図面の簡単な説明】
【００２８】
【図１】実施例１のテレビ放送視聴システムの説明図。
【図２】実施例２のテレビ放送視聴システムの説明図。
【図３】従来の技術１のテレビ放送視聴システムの説明図。
【図４】従来の技術２のテレビ放送視聴システムの説明図。
【図１】
2007116301.tif 000003
【図２】
2007116301.tif 000004
【図３】
2007116301.tif 000005
【図４】
2007116301.tif 000006